(57)【要約】【課題】遊技機の代わりに、必要な時に必要な個数だけ、遊技機設置島の遊技機設置枠にはめ込んで使用できる遊技機代用箱を提供する。【解決手段】遊技機１１の高さおよび幅と同一の大きさで、正面側２が開放した直方体形状の箱の、左側面板３から右側面板４へ水平方向に少なくとも一枚以上の中棚５を設けて遊技機代用箱１とし、遊技機設置島１０の遊技機設置枠１０ａにはめ込んで使用する。【選択図】図２
0003131625.tif 000002
【実用新案登録請求の範囲】
【請求項１】
遊技機の高さおよび幅と同一の大きさで、正面側が開放した直方体形状の箱の、左側面板から右側面板へ水平方向に少なくとも一つ以上の中棚を設けた構成とされ、
遊技機設置島の遊技機設置枠にはめ込んで使用することを特徴とする遊技機代用箱。
【考案の詳細な説明】
【技術分野】
【０００１】
本考案は、必要な時に必要な個数だけ、遊技機の代わりに遊技機設置島の遊技機設置枠にはめ込んで使用する遊技機代用箱に関する。
【背景技術】
【０００２】
一般に、遊技機設置島は、横長の形状をし、パチンコ機やスロット機などの遊技機を多数設置することができる遊技機設置枠を備えている。しかし、遊技機設置島は、遊技機設置島の上部に設置される装飾品などが相当の重量を有するので、曲がりやすく、歪みやすいことが知られている。このため、遊技店は、遊技機設置島に設けられている遊技機設置枠のすべてに遊技機をはめ込こんで、遊技機設置島の上部に設置される装飾品などの重量を支え、遊技機設置島の歪みによる破損などを防止している。すなわち、設置される個々の遊技機は、それ自体が遊技機設置島の歪みなどを防ぐ機能を果たすことになる。
さらに、遊技機設置枠の全部に遊技機をはめ込まずとも、その数量によっては破損や歪みを招かない可能性もあるが、遊技機をはめ込んでいないと島内部にある各種配線等の設備が露出してしまい、店内の景観を損ね、更には不正操作等、セキュリティー上の問題が生ずる。
このため、いったん遊技機設置島を設定してしまった後、遊技店は設置台数を意図的に減少させることができなかった。
【０００３】
上記事情は、遊技店の営業効率に悪影響を与えるものである。例えば、遊技店においては、一の遊技機を他の遊技機、例えば、新モデルに入れ替える場合がある。この場合、前記理由により、新モデルの台数と、撤去する旧モデルの台数とを等しくしなければならない。すなわち、遊技店において営業効率を高めるために、新モデルの導入台数を少な目にし、一方、旧モデルの撤去台数を多めにしようとしても、それを行うことができなかった。
【考案の開示】
【考案が解決しようとする課題】
【０００４】
従来、遊技機設置島の歪みや破損を防止しつつ、遊技店の営業効率の向上をはかることは不可能であった。
【０００５】
本考案は、上記の実情に鑑み提案され、遊技機の代わりに、必要な時に必要な個数だけ、遊技機設置島の遊技機設置枠にはめ込んで使用することができる遊技機代用箱を提供するという簡易な手法により、遊技機設置島の歪みや破損を防止しつつ、遊技店の営業効率の向上等をはかることを目的とする。
【課題を解決するための手段】
【０００６】
本考案に係る遊技機代用箱は、上記目的を達成するために、遊技機の高さおよび幅と同一の大きさで、正面側が開放した直方体形状の箱の、左側面板から右側面板へ水平方向に少なくとも一つ以上の中棚を設けた構成とされ、遊技機設置島の遊技機設置枠にはめ込んで使用することを特徴とする。
【考案の効果】
【０００７】
本考案に係る遊技機代用箱は、遊技機の高さおよび幅と同一の大きさを有しているので、遊技機設置島の遊技機設置枠に遊技機の代わりにはめ込んで使用することができ、これにより遊技機設置島の上部の重量を支えることができるので、遊技機設置島の歪みや遊技機設置島の破損を防止することができる。
また、遊技機設置枠の全部に遊技機をはめ込まずとも、店内の景観を損ねることはなく、しかも、不正操作等、セキュリティー上の問題を生じさせないことが可能になる。したがって、遊技店において営業効率を高めるために、新モデルの導入台数を少な目にし、一方、旧モデルの撤去台数を多めにするような操作が可能になる。
【０００８】
さらに、本考案は、正面側が開放した直方体形状の箱の、左側面板から右側面板へ水平方向に少なくとも一つ以上の中棚を設けた構成としたので、本考案に係る遊技機代用箱の内部の空間を、例えば、中棚の上側の空間に漫画本、雑誌、新聞などを置き、中棚の下側の空間にドル箱を置くなど、利用者の自由な物置スペースなどとして利用することができる。
【０００９】
また、本考案の遊技機代用箱は持ち運びや保管に優れた形態を有しているので、必要な時に必要な個数だけ用意することができる。この遊技機代用箱を用いれば、景観阻害や不正操作の問題を生じさせることなくなるため、遊技店にとっては、店舗の営業効率を勘案して所望の台数を設置することができ、例えば新台を導入するに際しても必要以上に経費が嵩むことがない。
【考案を実施するための最良の形態】
【００１０】
以下、実施形態を示す図面に基づいて本考案を詳細に説明する。図１は、本考案に係る遊技機代用箱の一実施形態を示す斜視図、図２は、本考案に係る遊技機代用箱を遊技機設置島の遊技機設置枠にはめ込んだ状態の概略正面図である。
【００１１】
本考案に係る遊技機代用箱１は、図１に示す通り、パチンコ機の高さｘ、幅ｙと同一の大きさを有し、例えば、高さｘが８１０ｍｍ、幅ｙが５２０ｍｍである。なお、奥行きｚは、例えば、２００ｍｍである。
【００１２】
遊技機代用箱１は、正面側が開放した直方体形状の箱の、左側面板３から右側面板４へ水平方向に一枚の中棚５を設けた構成である。また、裏面は、裏面板６で覆われていて、開放した正面側２から裏面板６の向こう側をのぞき見ることができなくなっている。
【００１３】
遊技機代用箱１は、遊技機設置島の上部の重量を支えることができる木製、金属製、プラスチック製などの材質で構成されており、且つ、箱状の形態を有しているので持ち運びに優れている。また、左側面板３から右側面板４へ水平方向に設けられている一枚の中棚５と、裏面板６とにより、直方体形状の遊技機代用箱１が持ち運びの際などに変形することがなくなる。そして、遊技機設置島の遊技機設置枠にはめ込まれた状態で、遊技機代用箱１は、物置スペースなどとして利用者に提供される。
【００１４】
そうすると、図２に示す通り、本考案に係る遊技機代用箱１は、遊技機１１の高さおよび幅と同一の大きさを有しているので、遊技機１１の代わりに、遊技機設置島１０の遊技機設置枠１０ａにはめ込んで使用することができ、これにより、遊技機設置島１０の遊技機設置枠１０ａにはめ込まれた状態で、遊技機設置島１０の上部の重量を支えることができる。さらに、裏面が裏面板６で覆われているので、遊技機設置島１０内部の配線等を利用者に曝して景観を損ねたり、不正操作の問題を生じさせることもない。また、軽質で丈夫な材質で構成され、持ち運びに優れるので、遊技機設置島１０の遊技機設置枠１０ａに簡単にはめ込むことができる。このほか、左側面板３から右側面板４へ水平方向に設けられている一枚の中棚５と、裏面板６とにより、直方形状の遊技機代用箱１の変形を防止することができる。そして、遊技機設置島１０の遊技機設置枠１０ａにはめ込まれた状態で、遊技機代用箱１は、物置スペースなどとして利用者に提供することができる。
【００１５】
また、遊技機設置島１０の遊技機設置枠１０ａのすべてを遊技機と遊技機代用箱１とをはめ込んで塞ぐことで遊技機設置島の上部の重量を支えるので、遊技機代用箱１を必要な時に必要な個数だけ用意すればよい。そうすると、例えば、遊技店にとって、新台を必要数のみ導入できて、経費が嵩むことがない。
【００１６】
ここで、本考案に係る遊技機代用箱は、スロット機の高さ、幅と同一の大きさを有し、例えば、高さ８１０ｍｍ、幅４７５ｍｍであってもよい。なお、奥行きは、例えば、２００ｍｍである。
【００１７】
そうすると、本考案に係る遊技機代用箱は、パチンコ機だけでなく、スロット機の代わりに、遊技機設置島の遊技機設置枠にはめ込んで使用することができ、これにより、遊技機設置島の遊技機設置枠にはめ込まれた状態で、遊技機設置島の上部の重量を支えることができる。なお、この例においても、上記したその他の効果を得ることができるのは、もちろんである。
【００１８】
なお、上記した実施形態では、奥行きを２００ｍｍとしたが、奥行きは、パチンコ機またはスロット機などの奥行き以下にする（好ましくは、パチンコ機またはスロット機の奥行きよりも５ｍｍ〜１０ｍｍ短くする）こともできる。
【００１９】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。例えば、左側面板から右側面板へ水平方向に少なくとも一つ以上の中棚を設けるほか、上面板（７）から下面板（８）へ鉛直方向に少なくとも一つ以上の縦棚をさらに設置してもよい。そうすると、例えば、遊技機設置島の複数の遊技機設置枠に遊技機と本考案に係る遊技機代用箱とが交互にはめ込まれている場合に、本考案に係る遊技機代用箱の左右に位置する遊技機を利用している利用者がそれぞれ、各自の物置スペースを確保することができる。
【図面の簡単な説明】
【００２０】
【図１】本考案に係る遊技機代用箱の一実施形態を示す斜視図である。
【図２】本考案に係る遊技機代用箱を遊技機設置島の遊技機設置枠にはめ込んだ状態の概略正面図である。
【符号の説明】
【００２１】
１      遊技機代用箱
２      正面側
３      左側面板
４      右側面板
５      中棚
６      裏面板
７      上面板
８      下面板
１０    遊技機設置島
１０ａ  遊技機設置枠
１１    遊技機
ｘ      遊技機代用箱の高さ
ｙ      遊技機代用箱の幅
ｚ      遊技機代用箱の奥行き
【図１】
0003131625.tif 000003
【図２】
0003131625.tif 000004